(57)【要約】  本開示は、無線システムエリア管理方法、端末および基地局を提供する。本開示は、インアクティブ接続状態／ＲＲＣアイドル状態の端末に対し新規の位置管理エリアを定義し、当該エリア内の異なるノード間の移動フローを簡単化する。【選択図】  図３
2019522447.tif 000002
【特許請求の範囲】
【請求項１】
レジデント基地局が、第１端末のアンカー基地局の情報が付帯されたＲＴＡ更新要求を前記第１端末から受信することと、
レジデント基地局が、前記ＲＴＡ更新要求に付帯された前記第１端末のアンカー基地局の情報に基づいて、自基地局が前記第１端末のアンカー基地局であるかを判断することと、
レジデント基地局が、自基地局が前記第１端末のアンカー基地局であると判断する場合、前記第１端末に係るＲＴＡ情報を更新し、前記第１端末にＲＴＡ更新確認メッセージを送信することとを含む無線システムエリア管理方法。
【請求項２】
レジデント基地局が、自基地局が前記第１端末のアンカー基地局ではないと判断する場合、
前記アンカー基地局から前記第１端末のコンテキスト情報を取得し、コアネットワークノードに対しＲＡＮアンカー基地局の更新プロセスを引き起こし、前記第１端末のアンカー基地局を自基地局に更新することと、
前記第１端末に係るＲＴＡ情報を更新し、前記第１端末にＲＴＡ更新確認メッセージを送信することとをさらに含む請求項１に記載の方法。
【請求項３】
レジデント基地局が、自基地局が前記第１端末のアンカー基地局ではないと判断する場合、
レジデント基地局が、自基地局が前記第１端末のアンカー基地局ではないと判断すると、前記第１端末に係るＲＴＡ情報を更新することと、
レジデント基地局が、前記第１端末に係るＲＴＡ情報を前記アンカー基地局に送信して、前記アンカー基地局によって保守される前記第１端末のコンテキスト情報を更新することと、
レジデント基地局は、前記第１端末にＲＴＡ更新確認メッセージを送信することとをさらに含む請求項１に記載の方法。
【請求項４】
前記第１端末のＲＴＡ情報を更新することは、
レジデント基地局が、前記第１端末のアクセスセルを特定し、前記アクセスセルに対応するＲＴＡに基づいて、前記第１端末に係るＲＴＡ情報を更新することを含む請求項１〜３のいずれか一項に記載の方法。
【請求項５】
前記第１端末のＲＴＡ情報を更新することは、
レジデント基地局が、前記第１端末の所定属性情報に基づいて、前記第１端末に対して対応するＲＴＡ情報を配置することと、
第１端末に対して配置したＲＴＡ情報に基づいて、前記第１端末に係るＲＴＡ情報を更新することを含み、
前記第１端末にＲＴＡ更新確認メッセージを送信することは、
第１端末に対して配置したＲＴＡ情報が付帯されたＲＴＡ更新確認メッセージを前記第１端末に送信することを含む請求項１〜３のいずれか一項に記載の方法。
【請求項６】
レジデント基地局が、自基地局のＲＴＡ情報が付帯された同期信号、参照信号または放送メッセージを送信することをさらに含む請求項１に記載の方法。
【請求項７】
前記第１端末にＲＴＡ更新確認メッセージを送信するステップの後に、
レジデント基地局が、前記第１端末に対するページングを引き起こす必要がある場合、前記第１端末に係るＲＴＡ情報に対応するＲＴＡ内でページングを引き起こすことをさらに含む請求項１〜３のいずれか一項に記載の方法。
【請求項８】
レジデント基地局が、第２端末のアンカー基地局である場合、第２端末がＲＲＣアイドル状態またはインアクティブ接続状態に移行したと発見すれば、第２端末の所定属性情報に基づいて、前記第２端末に対して対応するＲＴＡ情報を配置して前記第２端末に送信し、第２端末に対して配置したＲＴＡ情報に基づいて、前記第２端末に係るＲＴＡ情報を更新することをさらに含む請求項１に記載の方法。
【請求項９】
レジデント基地局が、第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、前記第２端末に対して配置することをさらに含む請求項８に記載の方法。
【請求項１０】
ＲＲＣアイドル状態またはインアクティブ接続状態の端末が、前記端末のアンカー基地局の情報が付帯されたＲＴＡ更新要求をレジデント基地局に送信することと、
前記端末が、前記レジデント基地局から返信されたＲＴＡ更新確認メッセージを受信し、自端末に係るＲＴＡ情報を更新することとを含む無線システムエリア管理方法。
【請求項１１】
前記端末のアンカー基地局の情報が付帯されたＲＴＡ更新要求をレジデント基地局に送信することは、
端末が、所定のＲＴＡ更新周期が到来し、またはＲＴＡの更新が必要であると特定すると、前記端末のアンカー基地局の情報が付帯されたＲＴＡ更新要求をレジデント基地局に送信することを含む請求項１０に記載の方法。
【請求項１２】
前記ＲＴＡの更新が必要であると特定することは、
前記端末が、レジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡの更新が必要であると特定すること、
または、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡの更新が必要であると特定することを含む請求項１１に記載の方法。
【請求項１３】
前記自端末に係るＲＴＡ情報を更新することは、
端末が、レジデント基地局から受信した同期信号、参照信号または放送メッセージに基づいて、付帯されている前記基地局のＲＴＡ情報を解析して取得し、前記基地局のＲＴＡ情報に基づいて、自端末に係るＲＴＡ情報を更新することを含む請求項１０に記載の方法。
【請求項１４】
前記レジデント基地局に前記ＲＴＡ更新要求を送信する前に、
前記端末が、ＲＲＣアイドル状態またはインアクティブ接続状態に移行する場合、前記端末のレジデント基地局から送信される同期信号、参照信号または放送メッセージを受信し、付帯されている前記基地局のＲＴＡ情報を解析して取得し、自端末に係るＲＴＡ情報として保存することをさらに含む請求項１３に記載の方法。
【請求項１５】
前記自端末に係るＲＴＡ情報を更新することは、
前記端末が、前記ＲＴＡ更新確認メッセージを解析し、付帯されているレジデント基地局から前記端末に対して配置したＲＴＡ情報を取得することと、
前記端末が、前記レジデント基地局から配置したＲＴＡ情報に基づいて、自端末に係るＲＴＡ情報を更新することを含む請求項１０に記載の方法。
【請求項１６】
前記レジデント基地局に前記ＲＴＡ更新要求を送信する前に、
前記端末が、ＲＲＣアイドル状態またはインアクティブ接続状態に移行する場合、レジデント基地局から前記端末に対して配置したＲＴＡ情報を受信し、レジデント基地局から配置したＲＴＡ情報に基づいて、自端末に係るＲＴＡ情報を取得して保存することをさらに含む請求項１５に記載の方法。
【請求項１７】
前記端末が、前記ＲＴＡ更新確認メッセージを解析し、付帯されている前記端末の新規のアンカー基地局の指示情報を取得することと、
前記端末が、前記新規のアンカー基地局の指示情報に基づいて、自身で保守するアンカー基地局情報を更新することとをさらに含む請求項１５に記載の方法。
【請求項１８】
ＲＴＡは、１つまたは複数のＳＩＡ、または、１つまたは複数のセル、または、１つまたは複数のＲＴＡ  ＩＤに対応するＳＩＡ／セルを含み、
１つのＲＴＡに含まれるＳＩＡ／セル／ＲＴＡ  ＩＤは、同一の基地局または異なる基地局に係り、
前記ＲＴＡ情報は、前記ＲＴＡに含まれるＳＩＡ／セル／ＲＴＡ  ＩＤのセットまたはサブセットである請求項１０に記載の方法。
【請求項１９】
第１端末のアンカー基地局の情報が付帯されたＲＴＡ更新要求を前記第１端末から受信することに用いられる要求受信ユニットと、
前記ＲＴＡ更新要求に付帯された前記第１端末のアンカー基地局の情報に基づいて、自基地局が前記第１端末のアンカー基地局であるかを判断し、自基地局が前記第１端末のアンカー基地局である場合、更新ユニットをトリガーすることに用いられる判断ユニットと、
判断ユニットのトリガーによって、前記第１端末に係るＲＴＡ情報を更新し、前記第１端末にＲＴＡ更新確認メッセージを送信することに用いられる更新ユニットとを含むレジデント基地局。
【請求項２０】
前記判断ユニットのトリガーによって、前記アンカー基地局から前記第１端末のコンテキスト情報を取得し、コアネットワークノードに対しＲＡＮアンカー基地局の更新プロセスを引き起こし、前記第１端末のアンカー基地局を自基地局に更新することに用いられる第１処理ユニットをさらに含み、
前記判断ユニットは、さらに、
自基地局が前記第１端末のアンカー基地局ではないと判断する場合、第１処理ユニットおよび前記更新ユニットをトリガーすることに用いられる請求項１９に記載のレジデント基地局。
【請求項２１】
前記判断ユニットのトリガーによって、自基地局が前記第１端末のアンカー基地局ではないと判断すると、前記第１端末に係るＲＴＡ情報を前記アンカー基地局に送信し、前記アンカー基地局によって保守される前記第１端末のコンテキスト情報を更新することに用いられる第２処理ユニットをさらに含み、
前記判断ユニットは、さらに、
自基地局が前記第１端末のアンカー基地局ではないと判断すると、第２処理ユニットおよび前記更新ユニットをトリガーすることに用いられる請求項１９に記載のレジデント基地局。
【請求項２２】
前記更新ユニットは、
前記第１端末のアクセスセルを特定し、前記アクセスセルに対応するＲＴＡに基づいて、前記第１端末に係るＲＴＡ情報を更新することに用いられる第１保守ユニットを含む請求項１９〜２１のいずれか一項に記載のレジデント基地局。
【請求項２３】
前記更新ユニットは、
前記第１端末の所定属性情報に基づいて、前記第１端末に対し対応するＲＴＡ情報を配置することと、第１端末に対して配置したＲＴＡ情報に基づいて、前記第１端末に係るＲＴＡ情報を更新することと、第１端末に対して配置したＲＴＡ情報が付帯されたＲＴＡ更新確認メッセージを前記第１端末に送信することに用いられる第２保守ユニットを含む請求項１９〜２１のいずれか一項に記載のレジデント基地局。
【請求項２４】
自基地局のＲＴＡ情報が付帯された同期信号、参照信号または放送メッセージを送信することに用いられる送信ユニットをさらに含む請求項１９に記載のレジデント基地局。
【請求項２５】
前記第１端末に対するページングを引き起こす必要がある場合、前記第１端末に係るＲＴＡ情報に対応するＲＴＡ内でページングを引き起こすことに用いられるページングユニットをさらに含む請求項１９〜２１のいずれか一項に記載のレジデント基地局。
【請求項２６】
自レジデント基地局が第２端末のアンカー基地局である場合、第２端末がＲＲＣアイドル状態またはインアクティブ接続状態に移行したと発見すれば、第２端末の所定属性情報に基づいて、前記第２端末に対して対応するＲＴＡ情報を配置して前記第２端末に送信し、第２端末に対して配置したＲＴＡ情報に基づいて、前記第２端末に係るＲＴＡ情報を更新することに用いられる第１配置ユニットをさらに含む請求項１９に記載のレジデント基地局。
【請求項２７】
第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、前記第２端末に対して配置することに用いられる第２配置ユニットをさらに含む請求項２６に記載のレジデント基地局。
【請求項２８】
自端末がＲＲＣアイドル状態またはインアクティブ接続状態にあると、前記端末のアンカー基地局の情報が付帯されたＲＴＡ更新要求をレジデント基地局に送信することに用いられる要求ユニットと、
前記レジデント基地局から返信されたＲＴＡ更新確認メッセージを受信し、自端末に係るＲＴＡ情報を更新することに用いられる保守更新ユニットとを含む端末。
【請求項２９】
所定のＲＴＡ更新周期が到来し、またはＲＴＡの更新が必要であると特定すると、前記端末のアンカー基地局の情報が付帯されたＲＴＡ更新要求をレジデント基地局に送信するように、前記要求ユニットをトリガーすることに用いられるトリガーユニットをさらに含む請求項２８に記載の端末。
【請求項３０】
前記トリガーユニットは、
レジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡの更新が必要であると特定すること、
または、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡの更新が必要であると特定することに用いられる更新特定ユニットを含む請求項２９に記載の端末。
【請求項３１】
前記保守更新ユニットは、
レジデント基地局から受信した同期信号、参照信号または放送メッセージに基づいて、付帯されている前記基地局のＲＴＡ情報を解析して取得し、前記基地局のＲＴＡ情報に基づいて、自端末に係るＲＴＡ情報を更新することに用いられる第１更新ユニットを含む請求項２８に記載の端末。
【請求項３２】
前記保守更新ユニットは、
前記端末がＲＲＣアイドル状態またはインアクティブ接続状態に移行する場合、前記端末のレジデント基地局から送信される同期信号、参照信号または放送メッセージを受信し、付帯されている前記基地局のＲＴＡ情報を解析して取得し、自端末に係るＲＴＡ情報として保存することに用いられる第１取得ユニットをさらに含む請求項３１に記載の端末。
【請求項３３】
前記保守更新ユニットは、
前記ＲＴＡ更新確認メッセージを解析し、付帯されているレジデント基地局から前記端末に対して配置したＲＴＡ情報を取得し、前記レジデント基地局から配置したＲＴＡ情報に基づいて、自端末に係るＲＴＡ情報を更新することに用いられる第２更新ユニットを含む請求項２８に記載の端末。
【請求項３４】
前記保守更新ユニットは、
前記端末がＲＲＣアイドル状態またはインアクティブ接続状態に移行する場合、レジデント基地局から前記端末に対して配置したＲＴＡ情報を受信し、レジデント基地局から配置したＲＴＡ情報に基づいて、自端末に係るＲＴＡ情報を取得して保存することに用いられる第２取得ユニットをさらに含む請求項３３に記載の端末。
【請求項３５】
前記保守更新ユニットは、
前記ＲＴＡ更新確認メッセージを解析し、付帯されている前記端末の新規のアンカー基地局の指示情報を取得し、前記新規のアンカー基地局の指示情報に基づいて、自身で保守するアンカー基地局情報を更新することに用いられるアンカー更新ユニットをさらに含む請求項３３に記載の端末。
【請求項３６】
ＲＴＡは、１つまたは複数のＳＩＡ、または、１つまたは複数のセル、または、１つまたは複数のＲＴＡ  ＩＤに対応するＳＩＡ／セルを含み、
１つのＲＴＡに含まれるＳＩＡ／セル／ＲＴＡ  ＩＤは、同一の基地局または異なる基地局に係り、
前記ＲＴＡ情報は、前記ＲＴＡに含まれるＳＩＡ／セル／ＲＴＡ  ＩＤのセットまたはサブセットである請求項２８に記載の端末。
【請求項３７】
トランシーバと、プロセッサと、前記プロセッサによる操作実行に用いられる指令を記憶することに用いられるメモリとを含むレジデント基地局であって、
前記トランシーバは、第１端末のアンカー基地局の情報が付帯されたＲＴＡ更新要求を前記第１端末から受信することに用いられ、
前記プロセッサは、
前記トランシーバが受信した前記ＲＴＡ更新要求に付帯された前記第１端末のアンカー基地局の情報に基づいて、自基地局が前記第１端末のアンカー基地局であるかを判断し、自基地局が前記第１端末のアンカー基地局であると判断する場合、前記第１端末に係るＲＴＡ情報を更新し、前記第１端末にＲＴＡ更新確認メッセージを送信することに用いられるレジデント基地局。
【請求項３８】
トランシーバと、プロセッサと、前記プロセッサによる操作実行に用いられる指令を記憶することに用いられるメモリとを含む端末であって、
前記トランシーバは、自端末がＲＲＣアイドル状態またはインアクティブ接続状態にあると、前記端末のアンカー基地局の情報が付帯されたＲＴＡ更新要求をレジデント基地局に送信することと、前記レジデント基地局から返信されるＲＴＡ更新確認メッセージを受信することに用いられ、
前記プロセッサは、自端末に係るＲＴＡ情報を更新することに用いられる端末。
【発明の詳細な説明】
【技術分野】
【０００１】
本願は、２０１６年７月２９日に中国特許庁に提出された中国特許出願２０１６１０６１６０５０．１の優先権を主張し、その全ての内容が援用によりここに取り込まれる。
本開示は、無線通信技術分野に係り、具体的に無線システムエリア管理方法、端末および基地局に係る。
【背景技術】
【０００２】
ＬＴＥシステムにおいて、無線リソース制御アイドル（ＲＲＣ＿ＩＤＬＥ）状態、無線リソース制御接続（ＲＲＣ＿ＣＯＮＮＥＣＴＥＤ）状態、ライト接続（ｌｉｇｈｔ  ｃｏｎｎｅｃｔｉｏｎ）など、複数の端末状態が定義されている。無線通信システムの発展に伴い、端末のタイプおよびサービスのタイプが多様化し、端末の節電、ネットワークリソースの節約、各種類のサービスタイプを満たすニーズが同時に存在する。端末の節電と快速なデータ伝送を同時に保証するために、インアクティブ接続状態とも呼ばれるＩｎａｃｔｉｖｅ状態という端末状態が導入される。この状態において、端末（ＵＥ）は、コアネットワークの接続を保持するが、エアインタフェース接続状態の通常操作（例えばハンドオーバ、アップリンクタイミング更新、無線リンクモニタリングなど）を行わず、直接エアインタフェース伝送に用いられる端末ＩＤ（例えばＣ−ＲＮＴＩ）を割り当てないので、直接エアインタフェーススケジューリング伝送を行うことができない。Ｉｎａｃｔｉｖｅ状態は、以下の特徴を有する。
−コアネットワークから見て当該端末が接続状態にある。
−移動性は、端末によって実行される。ネットワーク側から予め配置された無線アクセスネットワーク（ＲＡＮ）トラッキングエリア内で、ハンドオーバプロセスではなく、セル再選択によって実行される。
−端末には、ネットワーク側から予め配置されたＲＡＮトラッキングエリア内の一意的なユーザＩＤが割り当てられる。
【０００３】
Ｉｎａｃｔｉｖｅ状態において、ネットワーク側から端末に対し、一定のエリア内で有効なＲＡＮ  ＩＤを割り当てる。当該ＩＤは、Ｉｎａｃｔｉｖｅ状態において端末を識別することに用いられ、ネットワーク側が端末を検索しまたは端末が自らアップリンクアクセスを引き起こす際に、接続状態に移行するための身分として識別され、Ｉｎａｃｔｉｖｅ  ＵＥ  ＩＤやｒｅｓｕｍｅ  ＵＥ  ＩＤと称されてもよい。当該ＩＤは、世界で一意的なＩＭＳＩやＣ−ＲＮＴＩとは異なり、その長さが両者の間にあり（例えばＩｎａｃｔｉｖｅ  ＵＥ  ＩＤの長さが４０ｂｉｔであり、Ｃ−ＲＮＴＩの長さが１６ｂｉｔである。）、複数のセルまたは複数の基地局（ｅＮＢ）を含む一定のエリア内でのみ有効である。当該エリアを超えると、端末は、Ｉｎａｃｔｉｖｅ  ＵＥ  ＩＤを更新する必要がある。
【０００４】
従来技術において、単一ノードまたは理想的なバックホール接続の少量ノードによって１つのセル（Ｃｅｌｌ）を構成し、接続状態の端末にとって、セルを跨るには、ハンドオーバプロセスを行ってセキュリティパラメータを更新する必要がある。将来のネットワークノードの数が膨大であり各ノードのカバレッジが小さい場合、従来のセル設置およびセル操作のＩｎａｃｔｉｖｅ  ＵＥのままでは、移動性プロセスが頻繁に発生し、ユーザの体験性が劣り、しかもネットワーク効率が低い。類似的に、ＲＲＣアイドル状態の端末にも上記問題が存在する。
【発明の概要】
【発明が解決しようとする課題】
【０００５】
本開示の実施例で解決しようとする技術課題は、無線システムエリア管理方法、端末および基地局を提供することによって、ＲＲＣアイドル状態またはＩｎａｃｔｉｖｅ状態の端末の移動性プロセスが発生する頻繁度を減少し、ネットワーク効率を高め、ユーザの体験性を改善することである。
【課題を解決するための手段】
【０００６】
上記技術課題を解決するために、本開示の実施例の無線システムエリア管理方法は、レジデント基地局が、第１端末のアンカー基地局の情報が付帯されたＲＴＡ更新要求を前記第１端末から受信することと、レジデント基地局が、前記ＲＴＡ更新要求に付帯された前記第１端末のアンカー基地局の情報に基づいて、自基地局が前記第１端末のアンカー基地局であるかを判断することと、レジデント基地局が、自基地局が前記第１端末のアンカー基地局であると判断する場合、前記第１端末に係るＲＴＡ情報を更新し、前記第１端末にＲＴＡ更新確認メッセージを送信することとを含む。
【０００７】
本開示の実施例の別の無線システムエリア管理方法は、ＲＲＣアイドル状態またはインアクティブ接続状態の端末が、前記端末のアンカー基地局の情報が付帯されたＲＴＡ更新要求をレジデント基地局に送信することと、前記端末が、前記レジデント基地局から返信されたＲＴＡ更新確認メッセージを受信し、自端末に係るＲＴＡ情報を更新することとを含む。
【０００８】
本開示の実施例のレジデント基地局は、第１端末のアンカー基地局の情報が付帯されたＲＴＡ更新要求を前記第１端末から受信することに用いられる要求受信ユニットと、前記ＲＴＡ更新要求に付帯された前記第１端末のアンカー基地局の情報に基づいて、自基地局が前記第１端末のアンカー基地局であるかを判断し、自基地局が前記第１端末のアンカー基地局である場合、更新ユニットをトリガーすることに用いられる判断ユニットと、判断ユニットのトリガーによって、前記第１端末に係るＲＴＡ情報を更新し、前記第１端末にＲＴＡ更新確認メッセージを送信することに用いられる更新ユニットとを含む。
【０００９】
本開示の実施例の端末は、自端末がＲＲＣアイドル状態またはインアクティブ接続状態にあると、前記端末のアンカー基地局の情報が付帯されたＲＴＡ更新要求をレジデント基地局に送信することに用いられる要求ユニットと、前記レジデント基地局から返信されたＲＴＡ更新確認メッセージを受信し、自端末に係るＲＴＡ情報を更新することに用いられる保守更新ユニットとを含む。
【００１０】
本開示の実施例のレジデント基地局は、トランシーバと、プロセッサと、前記プロセッサによる操作実行に用いられる指令を記憶することに用いられるメモリとを含む。前記トランシーバは、第１端末のアンカー基地局の情報が付帯されたＲＴＡ更新要求を前記第１端末から受信することに用いられる。前記プロセッサは、前記トランシーバが受信した前記ＲＴＡ更新要求に付帯された前記第１端末のアンカー基地局の情報に基づいて、自基地局が前記第１端末のアンカー基地局であるかを判断し、自基地局が前記第１端末のアンカー基地局であると判断する場合、前記第１端末に係るＲＴＡ情報を更新し、前記第１端末にＲＴＡ更新確認メッセージを送信することに用いられる。
【００１１】
本開示の実施例の端末は、トランシーバと、プロセッサと、前記プロセッサによる操作実行に用いられる指令を記憶することに用いられるメモリとを含む。前記トランシーバは、自端末がＲＲＣアイドル状態またはインアクティブ接続状態にあると、前記端末のアンカー基地局の情報が付帯されたＲＴＡ更新要求をレジデント基地局に送信することと、前記レジデント基地局から返信されるＲＴＡ更新確認メッセージを受信することに用いられる。前記プロセッサは、自端末に係るＲＴＡ情報を更新することに用いられる。
【発明の効果】
【００１２】
本開示の実施例の無線システムエリア管理方法、端末および基地局によれば、インアクティブ接続状態／ＲＲＣアイドル状態の端末に対し新規の位置管理エリアを定義し、当該エリア内の異なるノード間の移動フローを簡単化し、コアネットワークに対するシグナリング負荷を減少し、ＲＡＮ側のページングエリアを減少し、システム効率を高め、ユーザの体験性を改善する。
【図面の簡単な説明】
【００１３】
【図１】図１は、本開示の実施例の無線システムエリア管理方法の１つの応用シーンを示す。
【図２】図２は、本開示の実施例の無線システムエリア管理方法の別の応用シーンを示す。
【図３】図３は、本開示の実施例の無線システムエリア管理方法のフローチャートである。
【図４】図４は、本開示の実施例の無線システムエリア管理方法の別のフローチャートである。
【図５】図５は、本開示の実施例のレジデント基地局の構造図である。
【図６】図６は、本開示の実施例のレジデント基地局の別の構造図である。
【図７】図７は、本開示の実施例の端末の構造図である。
【図８】図８は、本開示の実施例の端末の別の構造図である。
【図９】図９は、本開示の実施例の無線システムエリア管理方法の全体的フローチャートである。
【図１０】図１０は、本開示の実施例の無線システムエリア管理方法の別の全体的フローチャートである。
【図１１】図１１は、本開示の実施例の無線システムエリア管理方法のまた別の全体的フローチャートである。
【図１２】図１２は、本開示の実施例の無線システムエリア管理方法のさらに別の全体的フローチャートである。
【発明を実施するための形態】
【００１４】
本開示の解決しようとする技術課題、技術手段及び利点をより明確にするために、以下、図面および具体的な実施例を参照して詳細に記載する。以下の記載において、具体的な配置や構成部品の特定な細部を記載しているが、それは、単に本開示の実施例を全面的に理解してもらうための補助的なものである。したがって、当業者にとって、ここで記載されている実施例に対し、本開示の範囲と趣旨から逸脱することなく、様々な変更や修正を行うことができることは、明白である。また、明確化と簡素化を図り、知られている機能と構造に関する記載を省略した。
【００１５】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００１６】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００１７】
また、本文において、「システム」と「ネットワーク」は、常に互換して使用することができる。
【００１８】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【００１９】
本願で提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００２０】
本開示の実施例において、レジデント基地局は、端末がレジデントする基地局であり、例えば端末がスタートした後にレジデントする基地局またはセル再選択を経てレジデントする基地局である。ある端末のアンカー基地局は、コアネットワークノードとの間に端末の専用コネクションが確立されている基地局である。ある端末のレジデント基地局は、当該端末のアンカー基地局であってもよく、当該端末のアンカー基地局でなくてもよい。
【００２１】
本開示の実施例において、前記端末は、モバイル電話（または携帯電話）や、無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００２２】
本開示の実施例において、上記基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、強化型基地局（ｅＮＢ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。また、５Ｇ技術の発展に伴い、基地局は、中央ユニットＣＵ（Ｃｅｎｔｒａｌ  Ｕｎｉｔ）、分布式ユニットＤＵ（Ｄｉｓｔｒｉｂｕｔｅｄ  Ｕｎｉｔ）など、ほかの機能ノードに置き換えることができる。本開示の実施例は、上記シーンに応用することができる。以下、ＬＴＥネットワーク構築と５Ｇのありうるネットワーク構築シーンでのＲＡＮ側アーキテクチャーを簡単に紹介する。
【００２３】
ＬＴＥネットワーク構築シーン：
基地局＋端末
図１は、典型的なＬＴＥアーキテクチャーである。基地局（ｅＮＢ）の配下に複数のセル（ｃｅｌｌ）があり、接続状態の端末（ＵＥ）とセルとの間でエアインタフェースのデータ送受信が行われ、接続状態のＵＥには、セル内で一意的なＵＥ  ＩＤ（Ｃ−ＲＮＴＩ）が割り当てられる。基地局同士ではＸ２インタフェースを介して通信するが、基地局とコアネットワークの間は、Ｓ１インタフェースを介して通信する。
【００２４】
５Ｇネットワーク構築シーン：
ネットワーク側ノードは、中央ユニットＣＵ（Ｃｅｎｔｒａｌ  Ｕｎｉｔ）と分布式ユニットＤＵ（Ｄｉｓｔｒｉｂｕｔｅｄ  Ｕｎｉｔ）に分けられ、ユーザ側ノードは、端末（ＵＥ）である。
図２は、将来の移動通信５Ｇのありうるアークテクチャーであり、ネットワーク側ノードに中央ユニットと分布式ユニットを含む。１つの中央ユニットによって、一定のエリア内に配置される、伝送ポイントＴＲＰ（Ｔｒａｎｓｍｉｓｓｉｏｎ  Ｒｅｃｅｐｔｉｏｎ  Ｐｏｉｎｔ）とも称される複数の分布式ユニットを制御する。ＴＲＰと端末とは、エアインタフェース伝送を行う。１つまたは複数の伝送ポイントは、同時に端末にサービングしてデータ伝送を行う。ここで、ネットワーク側から端末に割り当てる端末エアインタフェースの一意的ＩＤによって、データスケジューリングと伝送を行う必要があり、当該ＩＤは、Ｃ−ＲＮＴＩまたはＴＲＰ−ＲＮＴＩである。
【００２５】
本開示の実施例は、上記２種類のＲＡＮアーキテクチャーに応用してもよく、上記シーン以外のシーンに応用してもよい。記載を統一するために、本明細書では、ネットワーク側の無線シグナリングとデータの送受信ノードを全て基地局と称し、図１のｅＮＢおよび図２のＣＵ／ＤＵ（具体的に送受信ポイントはＴＲＰである。）を含む。
【００２６】
将来のネットワークノードの数が膨大であり各ノードのカバレッジが小さい場合、従来のセル設置およびセル操作のＲＲＣアイドル状態またはＩｎａｃｔｉｖｅ状態の端末のままでは、移動性プロセスが頻繁に発生し、ネットワーク効率とユーザの体験性に影響を与える。したがって、本開示の実施例は、移動性プロセスの発生頻度を低下させることができる無線システムエリア管理方法を提供する。
【００２７】
本開示の実施例は、無線アクセスネットワーク（ＲＡＮ）側の位置トラッキングエリア（ＲＴＡ）（ＲＡＮ  Ｔｒａｃｋｉｎｇ  Ａｒｅａ）の概念を提起し、ＲＴＡによって、ネットワーク側から端末に対しページングを引き起こすエリアを定義する。ＲＴＡは、１つのシステム情報エリア（ＳＩＡ)（Ｓｙｓｔｅｍ  Ｉｎｆｏｒｍａｔｉｏｎ  Ａｒｅａ）または１つのセル（Ｃｅｌｌ）または１つのＲＴＡ  ＩＤであってもよく、１つの基地局の複数のＳＩＡまたは１つの基地局の複数のセルまたは１つの基地局の複数のＲＴＡ  ＩＤのセットであってもよく、さらに、複数の基地局のＳＩＡまたは複数の基地局のセルまたは複数の基地局ＲＴＡ  ＩＤのセットであってもよい。ここで、ＲＴＡ  ＩＤは、ＲＴＡのＩＤを示し、１つまたは複数のＳＩＡ／Ｃｅｌｌにマッピングされるように配置されることによって、１つまたは複数のＳＩＡ／Ｃｅｌｌを指示する。
【００２８】
すなわち、ＲＴＡは、１つまたは複数のＳＩＡ、または、１つまたは複数のセル、または、１つまたは複数のＲＴＡ  ＩＤに対応するＳＩＡ／セルを含む。ここで、１つのＲＴＡに含まれるＳＩＡ／セル／ＲＴＡ  ＩＤは、同一の基地局または異なる基地局に係る。本開示の実施例において、ＲＴＡ情報は、ＲＴＡに含まれるＳＩＡ／セル／ＲＴＡ  ＩＤのセットまたは当該セットのサブセットを示す。
【００２９】
本開示の実施例において、端末は、ＲＴＡ内で移動する際に、セル再選択プロセスによって基地局を選択してレジデントする。端末は、ＲＴＡ間で移動する際に、ＲＴＡ更新（ＲＴＡＵ）プロセルを実行することによって、ＲＴＡ情報を更新する。基地局内のＲＴＡ間（ｉｎｔｒａ−ｅＮＢ、ｉｎｔｅｒ−ＲＴＡ）移動シーンの場合、ＲＴＡＵプロセスがＲＡＮ側で終了され、基地局は、ＵＥの最新ＲＴＡ情報を更新して保存する必要があるが、シグナリングをコアネットワークに送信する必要がない。基地局間のＲＴＡ間（ｉｎｔｅｒ−ｅＮＢ、ｉｎｔｅｒ−ＲＴＡ）移動シーンのＲＴＡＵの場合、基地局は、シグナリングをコアネットワークに送信して端末のアンカー基地局を更新し、または、元のアンカー基地局に対し端末のＲＴＡ情報を更新する。コアネットワークのデータまたはシグナリングまたはページング（ｐａｇｉｎｇ）メッセージを受信すると、アンカー基地局は、保存されている当該端末の最新ＲＴＡ情報に基づいて、対応するＲＴＡ内でページングを引き起こす。
【００３０】
また、本開示の実施例において、基地局は、ＲＴＡＵプロセスを周期的に引き起こすためのＲＴＡＵタイマーを端末に対し配置してもよい。端末は、当該ＲＴＡＵタイマーに基づいてＲＴＡＵプロセスを周期的に引き起こし、自身のＲＴＡ情報を基地局に対し更新する。
【００３１】
本開示の実施例において、ＲＴＡの配置方式は、以下の２種類ある。
【００３２】
ＲＴＡ配置方式１：
ネットワークの配置に応じて各基地局のＲＴＡを静的に配置する。例えば、どのＳＩＡ／Ｃｅｌｌ／ＲＴＡ  ＩＤがどのＲＴＡに属するかを予め配置し、基地局は、前記基地局のＲＴＡ情報を同期信号、参照信号または放送信号によって付帯させて端末に通知する。当該方式では、同期信号、参照信号または放送信号で伝送可能な情報量が少ないため、付帯されるＲＴＡ情報は、通常ＲＴＡ  ＩＤまたはＲＴＡに含まれるＳＩＡ／セルのサブセットである。端末は、当該ＲＴＡ情報に基づいて、ＲＴＡＵプロセスを実行する。
【００３３】
本開示の実施例において、端末は、基地局から同期信号、参照信号または放送メッセージに付帯させた前記基地局のＲＴＡ情報が、自端末が現在保守している自端末に係るＲＴＡ情報とマッチするかに基づいて、ＲＴＡＵプロセスの実行が必要であるかを判断する。
【００３４】
ＲＴＡ配置方式２：
基地局は、端末の属性（例えば端末の速度、トラフィックパターン（ｔｒａｆｆｉｃ  ｐａｔｔｅｒｎｓ））に基づいて当該端末に対しＲＴＡを動的に配置する。具体的に、基地局は、専用シグナリングによって、端末に対して配置するＲＴＡ情報を端末に通知する。基地局は、端末の所定属性に基づいて、端末のＲＴＡを配置する際に端末に対して対応するＳＩＡ／セル／ＲＴＡ  ＩＤのリストを割り当て、当該リストに含まれるＳＩＡ／セル／ＲＴＡ  ＩＤから当該端末のＲＴＡを構成する。当該方式では、端末に対して配置するＲＴＡ情報は、当該端末に対して割り当てる全てのＳＩＡ／セル／ＲＴＡ  ＩＤの集合であってもよく、すなわち、当該ＲＴＡが有するＳＩＡリスト、セルリスト、またはＲＴＡ  ＩＤリストなどである。
【００３５】
本開示の実施例において、端末は、基地局から自端末に対して配置したＲＴＡ情報が、自端末が現在保守している自端末に係るＲＴＡ情報とマッチするかに基づいて、ＲＴＡＵプロセスの実行が必要であるかを判断する。
【００３６】
図３に示すように、本開示の実施例の無線システムエリア管理方法は、基地局に応用される場合、下記ステップを含む。
【００３７】
ステップ３１において、レジデント基地局は、第１端末のアンカー基地局の情報が付帯されたＲＴＡ更新要求を前記第１端末から受信する。
【００３８】
ここで、第１端末は、ＲＲＣアイドル状態またはインアクティブ接続状態にあると、所定のＲＴＡ更新周期が到来し、またはＲＴＡが更新されうると特定すると、ＲＴＡ更新要求をレジデント基地局に送信して端末のＲＴＡの更新を要求する。当該要求には第１端末のアンカー基地局の情報が付帯される。
【００３９】
ステップ３２において、レジデント基地局は、前記ＲＴＡ更新要求に付帯された前記第１端末のアンカー基地局の情報に基づいて、自基地局が前記第１端末のアンカー基地局であるかを判断する。
【００４０】
ここで、ＲＲＣアイドル状態またはインアクティブ接続状態の第１端末は、基地局間の移動が生じると、第１端末のレジデント基地局が第１端末のアンカー基地局ではない可能性があり、基地局内の移動が生じると、第１端末のレジデント基地局が第１端末のアンカー基地局である可能性がある。したがって、本ステップ３２において、レジデント基地局は、第１端末から送信されるアンカー基地局の情報に基づいて、自身が第１端末のアンカー基地局であるかを判断する。
【００４１】
ステップ３３において、レジデント基地局は、自基地局が前記第１端末のアンカー基地局であると判断する場合、前記第１端末に係るＲＴＡ情報を更新し、前記第１端末にＲＴＡ更新確認メッセージを送信する。
【００４２】
ここで、本ステップ３３において、レジデント基地局が第１端末のアンカー基地局であると、ＲＴＡＵプロセスがＲＡＮ側で終了され、レジデント基地局は、シグナリングをコアネットワークに送信する必要がなく、第１端末に係るＲＴＡ情報を更新する。ＲＴＡ配置方式に応じて、ここでの更新方式は、以下を含む。
上記ＲＴＡ配置方式１の静的配置方式が用いられる場合、レジデント基地局は、物理レイヤ信号に基づいて第１端末のアクセスセルを特定し、さらにアクセスセルに対応するＲＴＡに基づいて、前記第１端末に係るＲＴＡ情報を更新する。
上記ＲＴＡ配置方式２の端末毎の動的配置方式が用いられる場合、レジデント基地局は、前記第１端末の所定属性情報（例えば端末の移動速度、トラフィックパターンなど）に基づいて、前記第１端末に対して対応するＲＴＡ情報を配置し、第１端末に対して配置するＲＴＡ情報に基づいて、前記第１端末に係るＲＴＡ情報を更新する。
【００４３】
以上のステップによって、レジデント基地局は、自身が第１基地局のアンカー基地局であると、ＲＴＡＵプロセスをＲＡＮ側で終了させることによって、コアネットワークリソースの使用を減少させる。また、ＲＴＡＵがＲＴＡに基づいて引き起こされるため、ＲＲＣアイドル状態またはＩｎａｃｔｉｖｅ状態の端末の移動性プロセスが生じる頻繁度を減少させることができ、ネットワーク効率を高め、ユーザの体験性を改善する。
【００４４】
本開示の実施例において、上記ステップ３２において、レジデント基地局が前記第１端末のアンカー基地局ではないと判断すると、以下２種類の実現方式でＲＴＡＵ処理を行う。
【００４５】
実現方式１：
レジデント基地局は、自基地局が前記第１端末のアンカー基地局ではないと判断する場合、前記アンカー基地局から前記第１端末のコンテキスト情報を取得し、コアネットワークノードに対しＲＡＮアンカー基地局の更新プロセスを引き起こし、前記第１端末のアンカー基地局を自基地局に更新し、それから、前記第１端末に係るＲＴＡ情報を更新し、前記第１端末にＲＴＡ更新確認メッセージを送信する。
【００４６】
当該実現方式１において、レジデント基地局からアンカー基地局の更新プロセスをコアネットワークに対し引き起こすことによって、コアネットワークは、第１端末のアンカー基地局を自レジデント基地局に更新する。または、レジデント基地局は、前記端末の新規のアンカー基地局が自レジデント基地局であることを示す前記端末の新規アンカー基地局の指示情報を前記ＲＴＡ更新確認メッセージに付帯させてもよく、端末は、これに基づいて、自身のアンカー基地局の情報を更新する。
【００４７】
実現方式２：
レジデント基地局は、自基地局が前記第１端末のアンカー基地局ではないと判断する場合、前記第１端末に係るＲＴＡ情報を更新し、前記第１端末に係るＲＴＡ情報を前記アンカー基地局に送信して、前記アンカー基地局によって保守される前記第１端末のコンテキスト情報を更新し、前記第１端末にＲＴＡ更新確認メッセージを送信する。
【００４８】
当該実現方式２においても、レジデント基地局は、ＲＴＡＵプロセスをＲＡＮ側で終了させることによってコアネットワークリソースの使用を減少させる。この場合、レジデント基地局は、第１端末のＲＴＡ情報の更新をアンカー基地局に対し引き起こす。アンカー基地局は、これに基づいて第１端末のコンテキスト情報を更新し、後にコアネットワークから第１端末に送信されるダウンリンクデータ、シグナリングまたはページングメッセージを受信すると、保存される当該ＵＥに係るＲＴＡ情報に基づいて、前記レジデント基地局経由で、対応するＲＴＡ内でページングを引き起こす。
【００４９】
本開示の実施例において、レジデント基地局が同期信号、参照信号または放送メッセージで自基地局のＲＴＡ情報を送信することによって、端末は、これに基づいて基地局のＲＴＡ情報を取得し、さらに、自身に係るＲＴＡ情報とマッチし、または基地局のＲＴＡ情報を自端末に係るＲＴＡ情報としてローカルで保存して保守する。
【００５０】
以上のステップによって、レジデント基地局は、第１端末に係るＲＴＡ情報をローカルで保守して更新することができる。よって、後に前記第１端末に対するページングを引き起こす必要があれば、レジデント基地局は、前記第１端末に係るＲＴＡ情報に基づいて、当該ＲＴＡ情報に対応するＲＴＡ内でページングを引き起こす。
【００５１】
本開示の実施例において、上記ＲＴＡ配置方式２が用いられる場合、１つの端末（ここでは第２端末と称する）が上記レジデント基地局にレジデントするのであれば、仮にネットワーク側によってＲＲＣアイドル状態またはインアクティブ接続状態へ移行するように端末状態を制御する。この場合、前記レジデント基地局は、第２端末がＲＲＣアイドル状態またはインアクティブ接続状態に移行したと発見すれば、第２端末の所定属性情報に基づいて、前記第２端末に対して対応するＲＴＡ情報を配置して前記第２端末に送信し、第２端末に対して配置したＲＴＡ情報に基づいて、前記第２端末に係るＲＴＡ情報を更新する。ここの第２端末は、前述した第１端末とは同一端末であってもよく異なる端末であってもよい。
【００５２】
また、周期的なＲＴＡＵプロセスを実現するために、レジデント基地局は、第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、前記第２端末に対して配置する。よって、第２端末は、当該更新周期に基づいてＲＴＡＵプロセスを周期的に引き起こす。
【００５３】
図４に示すように、本開示の実施例の無線システムエリア管理方法、端末に応用される場合、以下のステップを含む。
【００５４】
ステップ４１において、ＲＲＣアイドル状態またはインアクティブ接続状態の端末は、前記端末のアンカー基地局の情報が付帯されたＲＴＡ更新要求をレジデント基地局に送信する。
【００５５】
ここで、上記ステップ４１において、端末は、所定のＲＴＡ更新周期が到来し、またはＲＴＡが更新されうると特定すると、前記端末のアンカー基地局の情報が付帯されたＲＴＡ更新要求をレジデント基地局に送信する。
【００５６】
具体的に、端末は、下記方式によって、ＲＴＡが更新されうると特定する。
前記端末は、レジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡが更新されうると特定するが、マッチすれば、何もせずに直接本フローを終了させる。
または、前記端末は、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡが更新されうると特定するが、マッチすれば、何もせずに直接本フローを終了させる。
【００５７】
ステップ４２において、前記端末は、前記レジデント基地局から返信されたＲＴＡ更新確認メッセージを受信し、自端末に係るＲＴＡ情報を更新する。
【００５８】
ここで、上記ステップ４２で自端末に係るＲＴＡ情報を更新することは、具体的に以下を含む。
上記ＲＴＡ配置方式１の静的配置方式が用いられる場合、端末は、端末に係るＲＴＡ情報を更新する際に、レジデント基地局から受信した同期信号、参照信号または放送メッセージに基づいて、付帯されている前記基地局のＲＴＡ情報を解析して取得し、前記基地局のＲＴＡ情報に基づいて、自端末に係るＲＴＡ情報を更新する。
一方、上記ＲＴＡ配置方式２の端末毎の動的配置方式が用いられる場合、前記端末は、前記ＲＴＡ更新確認メッセージを解析し、付帯されているレジデント基地局から前記端末に対して配置したＲＴＡ情報を取得し、それから、前記レジデント基地局から配置したＲＴＡ情報に基づいて、自端末に係るＲＴＡ情報を更新する。
【００５９】
また、上記ＲＴＡ配置方式２の端末毎の動的配置方式が用いられる場合、基地局は、前記端末のアンカー基地局の更新プロセスを引き起こす可能性があり、自基地局を前記端末のアンカー基地局に更新し、前記端末の新規のアンカー基地局が自基地局であることを示す前記端末の新規アンカー基地局の指示情報を前記ＲＴＡ更新確認メッセージに付帯させる。このように、本開示の実施例において、端末は、前記ＲＴＡ更新確認メッセージを解析し、付帯されている前記端末の新規アンカー基地局の指示情報を取得し、前記新規アンカー基地局の指示情報に基づいて、自身で保守するアンカー基地局情報を更新する。
【００６０】
上記ステップによって、本開示の実施例の端末は、異なるトリガー条件に基づいてＲＴＡＵプロセスを引き起こすことができる。ＲＴＡＵプロセスがＲＴＡに基づいて引き起こされるため、ＲＲＣアイドル状態またはＩｎａｃｔｉｖｅ状態の端末の移動性プロセスが生じる頻繁度を減少させることができ、ネットワーク効率を高め、ユーザの体験性を改善する。
【００６１】
以上のステップによって、端末がＲＲＣアイドル状態またはＩｎａｃｔｉｖｅ状態にある場合の処理フローを説明した。本開示の実施例は、さらに、端末がＲＲＣアイドル状態またはＩｎａｃｔｉｖｅ状態に移行するプロセスでどのようにＲＴＡ情報を取得するかを示す。
【００６２】
例えば、上記ＲＴＡ配置方式１の静的配置方式が用いられる場合、端末は、ＲＲＣアイドル状態またはインアクティブ接続状態に移行する場合、前記端末のレジデント基地局から送信される同期信号、参照信号または放送メッセージを受信し、付帯されている前記基地局のＲＴＡ情報を解析して取得し、自端末に係るＲＴＡ情報として保存する。
【００６３】
また例えば、上記ＲＴＡ配置方式２の端末毎の動的配置方式が用いられる場合、端末は、ＲＲＣアイドル状態またはインアクティブ接続状態に移行する場合、レジデント基地局から前記端末に対して配置したＲＴＡ情報を受信し、レジデント基地局から配置したＲＴＡ情報に基づいて、自端末に係るＲＴＡ情報を取得して保存する。
【００６４】
以下、上記方法を実現する基地局と端末をさらに提供する。
【００６５】
図５に示すように、本開示の実施例のレジデント基地局は、第１端末のアンカー基地局の情報が付帯されたＲＴＡ更新要求を前記第１端末から受信することに用いられる要求受信ユニット５１と、前記ＲＴＡ更新要求に付帯された前記第１端末のアンカー基地局の情報に基づいて、自基地局が前記第１端末のアンカー基地局であるかを判断し、自基地局が前記第１端末のアンカー基地局である場合、更新ユニットをトリガーすることに用いられる判断ユニット５２と、判断ユニットのトリガーによって、前記第１端末に係るＲＴＡ情報を更新し、前記第１端末にＲＴＡ更新確認メッセージを送信することに用いられる更新ユニット５３とを含む。
【００６６】
１つの実現方式として、上記レジデント基地局は、自基地局が前記端末のアンカー基地局ではない場合、コアネットワークに対しアンカー基地局の更新プロセスを引き起こす。この場合、前記判断ユニットは、さらに、自基地局が前記第１端末のアンカー基地局ではないと判断する場合、第１処理ユニットおよび前記更新ユニットをトリガーすることに用いられる。上記レジデント基地局は、前記判断ユニットのトリガーによって、前記アンカー基地局から前記第１端末のコンテキスト情報を取得し、コアネットワークノードに対しＲＡＮアンカー基地局の更新プロセスを引き起こし、前記第１端末のアンカー基地局を自基地局に更新することに用いられる第１処理ユニットをさらに含む。
【００６７】
別の実現方式として、上記レジデント基地局は、自基地局が前記端末のアンカー基地局ではない場合、アンカー基地局に対し端末のＲＴＡ更新プロセスを引き起こす。この場合、前記判断ユニットは、さらに、自基地局が前記第１端末のアンカー基地局ではないと判断すると、第２処理ユニットおよび前記更新ユニットをトリガーすることに用いられる。上記レジデント基地局は、前記判断ユニットのトリガーによって、自基地局が前記第１端末のアンカー基地局ではないと判断すると、前記第１端末に係るＲＴＡ情報を前記アンカー基地局に送信し、前記アンカー基地局によって保守される前記第１端末のコンテキスト情報を更新することに用いられる第２処理ユニットをさらに含む。
【００６８】
１つの実現方式として、レジデント基地局のＲＴＡ情報が予め静的に配置される場合、前記更新ユニットは、前記第１端末のアクセスセルを特定し、前記アクセスセルに対応するＲＴＡに基づいて、前記第１端末に係るＲＴＡ情報を更新することに用いられる第１保守ユニットを含む。
【００６９】
別の実現方式として、レジデント基地局のＲＴＡ情報を端末に対し動的配置する場合、前記更新ユニットは、前記第１端末の所定属性情報に基づいて、前記第１端末に対して対応するＲＴＡ情報を配置することと、第１端末に対して配置したＲＴＡ情報に基づいて、前記第１端末に係るＲＴＡ情報を更新することと、第１端末に対して配置したＲＴＡ情報が付帯されたＲＴＡ更新確認メッセージを前記第１端末に送信することに用いられる第２保守ユニットを含む。
【００７０】
上記ＲＴＡ配置方式１が用いられる場合、上記レジデント基地局は、自基地局のＲＴＡ情報が付帯された同期信号、参照信号または放送メッセージを送信することに用いられる送信ユニットをさらに含んでもよい。
【００７１】
本開示の実施例のレジデント基地局は、以下のユニットをさらに含むことによって、ページングを引き起こしまたは関連の配置機能を実現する。
ページングユニットは、前記第１端末に対するページングを引き起こす必要がある場合、前記第１端末に係るＲＴＡ情報に対応するＲＴＡ内でページングを引き起こすことに用いられる。
第１配置ユニットは、自レジデント基地局が第２端末のアンカー基地局である場合、第２端末がＲＲＣアイドル状態またはインアクティブ接続状態に移行したと発見すれば、第２端末の所定属性情報に基づいて、前記第２端末に対して対応するＲＴＡ情報を配置して前記第２端末に送信し、第２端末に対して配置したＲＴＡ情報に基づいて、前記第２端末に係るＲＴＡ情報を更新することに用いられる。
第２配置ユニットは、第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、前記第２端末に対して配置することに用いられる。
【００７２】
図６に示すように、本開示の実施例の別のレジデント基地局は、トランシーバ６０１と、プロセッサ６０４とを含む。トランシーバ６０１は、プロセッサ６０４による制御でデータを送受信し、具体的に、第１端末のアンカー基地局の情報が付帯されたＲＴＡ更新要求を前記第１端末から受信し、前記第１端末にＲＴＡ更新確認メッセージを送信する。プロセッサ６０４は、メモリ６０５からプログラムを読み取ることによって、トランシーバ６０１が受信した前記ＲＴＡ更新要求に付帯された前記第１端末のアンカー基地局の情報に基づいて、自基地局が前記第１端末のアンカー基地局であるかを判断するプロセスと、自基地局が前記第１端末のアンカー基地局であると判断する場合、前記第１端末に係るＲＴＡ情報を更新し、前記ＲＴＡ更新確認メッセージを送信するようにトランシーバ６０１を制御するプロセスを実行することに用いられる。
【００７３】
図６において、バスアーキテクチャ（バス６００で示す）は、任意数の相互接続するバスとブリッジを含み、プロセッサ６０４をはじめとする１つ又は複数のプロセッサとメモリ６０５をはじめとするメモリの各種類の回路が接続したものである。バス６００は、周辺イクイップメント、レギュレーター、電力管理回路などの各種類のほかの回路を接続したものであってもよい。これらは、いずれも本分野の公知事項であり、本文においてさらなる記載をしない。バスインタフェース６０３は、バス６００とトランシーバ６０１との間でインタフェースを提供する。トランシーバ６０１は、１つの素子であってもよく複数の素子であってもよく、例えば複数の受信機と送信機を含み、伝送媒体でほかの各種類の装置と通信するユニットとして提供される。プロセッサ６０４によって処理されたデータは、トランシーバ６０１とアンテナ６０２を介して無線媒体で伝送される。さらに、アンテナ６０２は、データ受信もして、データをトランシーバ６０１経由でプロセッサ６０４に伝送する。
【００７４】
プロセッサ６０４は、バス６００と通常の処理を管理し、タイミング、外部インタフェース、電圧調整、電源管理および他の制御機能など、各種類の機能を提供する。メモリ６０５は、プロセッサ６０４による操作実行に用いられるデータを格納することに用いられる。具体的に、プロセッサ６０４は、ＣＰＵ、ＡＳＩＣ、ＦＰＧＡまたはＣＰＬＤである。
【００７５】
１つの実現方式として、プロセッサ６０４は、自基地局が前記第１端末のアンカー基地局ではないと判断する場合、前記アンカー基地局から前記第１端末のコンテキスト情報を前記アンテナ６０２とトランシーバ６０１経由で取得し、前記トランシーバ６０１とアンテナ６０２経由でコアネットワークに対しＲＡＮアンカー基地局の更新プロセスを引き起こし、前記第１端末のアンカー基地局を自基地局に更新することと、前記第１端末に係るＲＴＡ情報を更新し、前記トランシーバ６０１とアンテナ６０２経由で前記第１端末にＲＴＡ更新確認メッセージを送信することに用いられる。
【００７６】
別の実現方式として、プロセッサ６０４は、自基地局が前記第１端末のアンカー基地局ではないと判断場合、前記第１端末に係るＲＴＡ情報を更新することと、前記第１端末に係るＲＴＡ情報を前記アンカー基地局にトランシーバ６０１とアンテナ６０２経由で送信して、前記アンカー基地局によって保守される前記第１端末のコンテキスト情報を更新することと、前記第１端末にＲＴＡ更新確認メッセージを送信することに用いられる。
【００７７】
具体的に、レジデント基地局がＲＴＡを静的に配置する場合、プロセッサ６０４は、前記第１端末のアクセスセルを特定し、前記アクセスセルに対応するＲＴＡに基づいて、前記第１端末に係るＲＴＡ情報を更新することによって、前記第１端末のＲＴＡ情報を更新する。
【００７８】
具体的に、レジデント基地局がＲＴＡを端末毎に動的配置する場合、プロセッサ６０４は、下記方式で前記第１端末のＲＴＡ情報を更新する。前記第１端末の所定属性情報に基づいて、前記第１端末に対して対応するＲＴＡ情報を配置する。第１端末に対して配置したＲＴＡ情報に基づいて、前記第１端末に係るＲＴＡ情報を更新する。この場合、第１端末に対して配置したＲＴＡ情報が付帯されたＲＴＡ更新確認メッセージを前記第１端末に送信する。
【００７９】
本開示の実施例において、プロセッサ６０４は、トランシーバ６０１とアンテナ６０２経由で、自基地局のＲＴＡ情報が付帯された同期信号、参照信号または放送メッセージを送信してもよい。
【００８０】
本開示の実施例において、プロセッサ６０４は、前記第１端末に対するページングを引き起こす必要がある場合、トランシーバ６０１とアンテナ６０２経由で、前記第１端末に係るＲＴＡ情報に対応するＲＴＡ内でページングを引き起こしてもよい。
【００８１】
また、プロセッサ６０４は、自レジデント基地局が、第２端末のアンカー基地局である場合、第２端末がＲＲＣアイドル状態またはインアクティブ接続状態に移行したと発見すれば、第２端末の所定属性情報に基づいて、前記第２端末に対して対応するＲＴＡ情報を配置し、トランシーバ６０１とアンテナ６０２経由で前記第２端末に送信し、第２端末に対して配置したＲＴＡ情報に基づいて、前記第２端末に係るＲＴＡ情報を更新する。
【００８２】
また、プロセッサ６０４は、第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、トランシーバ６０１とアンテナ６０２経由で前記第２端末に対して配置する。
【００８３】
図７に示すように、本開示の実施例の端末は、自端末がＲＲＣアイドル状態またはインアクティブ接続状態にあると、前記端末のアンカー基地局の情報が付帯されたＲＴＡ更新要求をレジデント基地局に送信することに用いられる要求ユニット７１と、前記レジデント基地局から返信されたＲＴＡ更新確認メッセージを受信し、自端末に係るＲＴＡ情報を更新することに用いられる保守更新ユニット７２とを含む。
【００８４】
ここで、上記端末は、所定のＲＴＡ更新周期が到来し、またはＲＴＡが更新されうると特定すると、前記端末のアンカー基地局の情報が付帯されたＲＴＡ更新要求をレジデント基地局に送信するように、前記要求ユニットをトリガーすることに用いられるトリガーユニットをさらに含む。
【００８５】
具体的に、前記トリガーユニットは、レジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡが更新されうると特定すること、または、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡが更新されうると特定することに用いられる更新特定ユニットを含む。
【００８６】
ここで、１つの実現方式として、前記保守更新ユニットは、レジデント基地局から受信した同期信号、参照信号または放送メッセージに基づいて、付帯されている前記基地局のＲＴＡ情報を解析して取得し、前記基地局のＲＴＡ情報に基づいて、自端末に係るＲＴＡ情報を更新することに用いられる第１更新ユニットと、前記端末がＲＲＣアイドル状態またはインアクティブ接続状態に移行する場合、前記端末のレジデント基地局から送信される同期信号、参照信号または放送メッセージを受信し、付帯されている前記基地局のＲＴＡ情報を解析して取得し、自端末に係るＲＴＡ情報として保存することに用いられる第１取得ユニットを含む。
【００８７】
ここで、別の実現方式として、前記保守更新ユニットは、前記ＲＴＡ更新確認メッセージを解析し、付帯されているレジデント基地局から前記端末に対して配置したＲＴＡ情報を取得し、前記レジデント基地局から配置したＲＴＡ情報に基づいて、自端末に係るＲＴＡ情報を更新することに用いられる第２更新ユニットと、前記端末がＲＲＣアイドル状態またはインアクティブ接続状態に移行する場合、レジデント基地局から前記端末に対して配置したＲＴＡ情報を受信し、レジデント基地局から配置したＲＴＡ情報に基づいて、自端末に係るＲＴＡ情報を取得して保存することに用いられる第２取得ユニットとを含む。
【００８８】
ＲＴＡＵプロセスにおいて、端末のアンカー基地局が更新される可能性があるため、前記保守更新ユニットは、前記ＲＴＡ更新確認メッセージを解析し、付帯されている前記端末の新規のアンカー基地局の指示情報を取得し、前記新規のアンカー基地局の指示情報に基づいて、自身で保守するアンカー基地局情報を更新することに用いられるアンカー更新ユニットをさらに含んでもよい。
【００８９】
図８に示すように、本開示の実施例の別の端末は、トランシーバ８０１と、プロセッサ８０４とを含む。トランシーバ６０１は、プロセッサ８０４による制御でデータを送受信し、具体的に、前記端末のアンカー基地局の情報が付帯されたＲＴＡ更新要求をレジデント基地局に送信し、前記レジデント基地局から返信されるＲＴＡ更新確認メッセージを受信する。プロセッサ８０４は、メモリ８０５からプログラムを読み取ることによって、自端末がＲＲＣアイドル状態またはインアクティブ接続状態にあると、前記端末のアンカー基地局の情報が付帯されたＲＴＡ更新要求を生成し、トランシーバ８０１とアンテナ８０２経由でレジデント基地局に送信するプロセスと、トランシーバ８０１が受信したＲＴＡ更新確認メッセージに基づいて、自端末に係るＲＴＡ情報を更新するプロセスを実行することに用いられる。
【００９０】
図８において、バスアーキテクチャ（バス８００で示す）は、任意数の相互接続するバスとブリッジを含み、プロセッサ８０４をはじめとする１つ又は複数のプロセッサとメモリ８０５をはじめとするメモリの各種類の回路が接続したものである。バス８００は、周辺イクイップメント、レギュレーター、電力管理回路などの各種類のほかの回路を接続したものであってもよい。これらは、いずれも本分野の公知事項であり、本文においてさらなる記載をしない。バスインタフェース８０３は、バス８００とトランシーバ８０１との間でインタフェースを提供する。トランシーバ８０１は、１つの素子であってもよく複数の素子であってもよく、例えば複数の受信機と送信機を含み、伝送媒体でほかの各種類の装置と通信するユニットとして提供される。プロセッサ８０４によって処理されたデータは、トランシーバ８０１とアンテナ８０２を介して無線媒体で伝送される。さらに、アンテナ８０２は、データ受信もして、データをトランシーバ８０１経由でプロセッサ８０４に伝送する。
【００９１】
プロセッサ８０４は、バス８００と通常の処理を管理し、タイミング、外部インタフェース、電圧調整、電源管理および他の制御機能など、各種類の機能を提供する。メモリ８０５は、プロセッサ８０４による操作実行に用いられるデータを格納することに用いられる。具体的に、プロセッサ６０４は、ＣＰＵ、ＡＳＩＣ、ＦＰＧＡまたはＣＰＬＤである。
【００９２】
本開示の実施例において、プロセッサ８０４は、所定のＲＴＡ更新周期で周期を計時し、所定のＲＴＡ更新周期が到来し、またはＲＴＡが更新されうると特定すると、前記ＲＴＡ更新要求を送信するように、トランシーバ８０１とアンテナ８０２を制御する。
【００９３】
また、トランシーバ８０１は、レジデント基地局から受信した同期信号、参照信号または放送メッセージを受信する。
【００９４】
具体的に、プロセッサ８０４は、下記方式によって、ＲＴＡが更新されうると特定する。トランシーバ８０１がレジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡが更新されうると特定する。または、アンテナ８０２とトランシーバ８０１経由で、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡが更新されうると特定する。
【００９５】
プロセッサ８０４は、さらに、トランシーバ８０１が受信した同期信号、参照信号または放送メッセージを解析し、付帯されている前記基地局のＲＴＡ情報を取得し、前記基地局のＲＴＡ情報に基づいて、自端末に係るＲＴＡ情報を更新する。
【００９６】
また、プロセッサ８０４は、前記端末がＲＲＣアイドル状態またはインアクティブ接続状態に移行する場合、トランシーバ８０１がレジデント基地局から受信した同期信号、参照信号または放送メッセージに基づいて、付帯されている前記基地局のＲＴＡ情報を解析して取得し、自端末に係るＲＴＡ情報として保存する。
【００９７】
レジデント基地局から送信されるＲＴＡ更新確認メッセージには、レジデント基地局から前記端末に対して配置されたＲＴＡ情報が付帯される可能性がある。この場合、プロセッサ８０４は、前記ＲＴＡ更新確認メッセージを解析し、付帯されているレジデント基地局から前記端末に対して配置したＲＴＡ情報を取得し、前記レジデント基地局から配置したＲＴＡ情報に基づいて、自端末に係るＲＴＡ情報を更新する。
【００９８】
レジデント基地局から端末毎にＲＴＡ情報を動的に配置する場合、プロセッサ８０４は、さらに、端末がＲＲＣアイドル状態またはインアクティブ接続状態に移行する場合、レジデント基地局から前記端末に対して配置したＲＴＡ情報に基づいて、自端末に係るＲＴＡ情報を取得して保存する。
【００９９】
また、レジデント基地局が前記端末の新規アンカー基地局の指示情報をＲＴＡ更新確認メッセージに付帯させる場合、プロセッサ８０４は、さらに、前記ＲＴＡ更新確認メッセージを解析し、付帯されている前記端末の新規のアンカー基地局の指示情報を取得し、前記新規のアンカー基地局の指示情報に基づいて、自身で保守するアンカー基地局情報を更新する。
【０１００】
以上、それぞれ基地局と端末側から本開示の実施例の方法のフローおよび機器の構造を説明した。以下、複数の応用シーンの全体的フローチャートに関連して本開示をさらに説明する。
【０１０１】
応用シーン１：
ｉｎｔｒａ−ｅＮＢ、ｉｎｔｅｒ−ＲＴＡシーンのＲＴＡＵプロセスであって、基地局がＲＴＡを静的に配置する。
図９に示すように、本シーンは、端末の基地局内移動によるＲＴＡＵプロセスである。当該シーンでは、レジデント基地局は、端末のアンカー基地局でもある。また、本シーンでは、ＲＴＡは、静的に配置される。
ステップ９１において、レジデント基地局は、当該基地局のＲＴＡ情報、例えばＳＩＡ／Ｃｅｌｌ  ＩＤ情報を同期信号、参照信号または放送メッセージによって付帯させ、または、ＯＡＭ配置のＳＩＡ／Ｃｅｌｌ  ＩＤとＲＴＡ  ＩＤのマッピング関係に基づいて、ＲＴＡ  ＩＤ情報を同期信号、参照信号または放送メッセージに付帯させる。ここで、複数のＳＩＡ／Ｃｅｌｌ  ＩＤは、１つのＲＴＡ  ＩＤにマッピングされる。
ステップ９２において、端末は、ネットワーク側の制御で、インアクティブ接続状態（Ｉｎａｃｔｉｖｅ状態）に移行し、Ｉｎａｃｔｉｖｅ状態に移行するプロセスで、レジデント基地局から同期信号、参照信号または放送メッセージに付帯させた当該基地局のＲＴＡ情報を受信し、当該ＲＴＡ情報を自端末に係るＲＴＡ情報として保存する。
ステップ９３において、端末は、既にＩｎａｃｔｉｖｅ状態に移行しており、すなわちＩｎａｃｔｉｖｅ状態である。後に端末がレジデント基地局の配下の新規ＲＴＡに移動し、当該新規ＲＴＡでレジデント基地局から送信されるＳＩＡまたはｃｅｌｌ  ＩＤまたはＲＴＡ  ＩＤが以前レジデントしたＲＴＡとは異なる（すなわち、現在の自端末に係るＲＴＡ情報とは異なる）と検出すると、ＲＴＡＵプロセスを引き起こす必要がある。
ステップ９４において、端末は、エアインタフェースでシグナリングによってＲＴＡＵ要求を送信する。レジデント基地局は、端末エアインタフェースのシグナリングを受信すると、自基地局が端末のアンカー基地局である（コアネットワークノードとは当該端末の専用コネクションが確立されている）と判断すると、当該シグナリングを終了させ、コアネットワークにシグナリングを送信しない。同時に、当該アンカー基地局は、端末がアクセスするセルに基づいて、当該端末の最新ＲＴＡ情報を特定して保存し、ダウンリンクデータ／シグナリングが到来するときに端末のＲＴＡを位置決めることに用いる。レジデント基地局は、さらにＲＴＡＵ確認メッセージを端末に返信する。端末は、当該メッセージを受信すると、最新ＲＴＡ情報をローカルで更新し、すなわちレジデント基地局が現在のアクセスセルで同期信号、参照信号または放送メッセージによって送信した当該基地局のＲＴＡ情報に更新する。
【０１０２】
応用シーン２：
ｉｎｔｒａ−ｅＮＢ、ｉｎｔｅｒ−ＲＴＡシーンのＲＴＡＵプロセスであって、端末毎にＲＴＡを動的に配置する。
図１０に示すように、本シーンは、端末の基地局内移動によるＲＴＡＵプロセスである。当該シーンでは、レジデント基地局は、端末のアンカー基地局でもある。また、本シーンでは、ＲＴＡは、基地局から端末毎に動的に配置される。
ステップ１０１において、端末は、ネットワーク側の制御で、インアクティブ接続状態（Ｉｎａｃｔｉｖｅ状態）に移行する。Ｉｎａｃｔｉｖｅ状態に移行するプロセスで、レジデント基地局は、当該端末の属性情報に基づいて、当該端末に対して対応するＲＴＡ情報を配置する。よって、当該端末は、自端末に係るＲＴＡ情報を取得して保存する。
ステップ１０２〜１０３において、端末は、既にＩｎａｃｔｉｖｅ状態に移行しており、すなわちＩｎａｃｔｉｖｅ状態である。後に端末がレジデント基地局の配下の新規ＲＴＡに移動すると、レジデント基地局から当該端末に対し改めてＲＴＡ情報を配置する可能性がある。当該改めて配置されるＲＴＡ情報と現在の端末に係るＲＴＡ情報とが異なると、ＲＴＡＵプロセスを引き起こす必要がある。
ステップ１０４において、端末は、エアインタフェースでシグナリングによってＲＴＡＵ要求を送信する。レジデント基地局は、端末エアインタフェースのシグナリングを受信すると、自基地局が端末のアンカー基地局である（コアネットワークノードとは当該端末の専用コネクションが確立されている）と判断すると、当該シグナリングを終了させ、コアネットワークにシグナリングを送信しない。同時に、当該アンカー基地局は、端末の所定属性情報に基づいて、端末に対して改めてＲＴＡ情報を配置してエアインタエースで端末に送信し、例えばＲＴＡＵ確認メッセージに付帯させて端末に送信する。端末は、当該メッセージを受信すると、付帯されているＲＴＡ情報を取得して、これに基づいて最新ＲＴＡ情報をローカルで更新する。
【０１０３】
応用シーン３：
ｉｎｔｅｒ−ｅＮＢ、ｉｎｔｅｒ−ＲＴＡシーンのＲＴＡＵプロセスであって、ＲＴＡを静的に配置する。
図１１に示すように、本シーンは、端末の基地局間移動によるＲＴＡＵプロセスである。当該シーンでは、レジデント基地局は、端末のアンカー基地局ではない。また、本シーンでは、ＲＴＡは、静的に配置される。
ステップ１１１において、各基地局（レジデント基地局、アンカー基地局を含む）は、当該基地局のＲＴＡ情報、例えばＳＩＡ／Ｃｅｌｌ  ＩＤ情報を同期信号、参照信号または放送メッセージによって付帯させ、または、ＯＡＭ配置のＳＩＡ／Ｃｅｌｌ  ＩＤとＲＴＡ  ＩＤのマッピング関係に基づいて、ＲＴＡ  ＩＤ情報を同期信号、参照信号または放送メッセージに付帯させる。ここで、複数のＳＩＡ／Ｃｅｌｌ  ＩＤは、１つのＲＴＡ  ＩＤにマッピングされる。
ステップ１１２において、端末は、ネットワーク側の制御で、インアクティブ接続状態（Ｉｎａｃｔｉｖｅ状態）に移行する。仮にこの際に端末は、アンカー基地局にレジデントし、Ｉｎａｃｔｉｖｅ状態に移行するプロセスで、レジデント基地局から同期信号、参照信号または放送メッセージに付帯させた当該基地局のＲＴＡ情報を受信し、当該ＲＴＡ情報を自端末に係るＲＴＡ情報として保存する。
ステップ１１３において、端末は、基地局間移動が生じ、アンカー基地局からレジデント基地局に移動し、セル再選択プロセスによって、前記レジデント基地局にレジデントする。この際に、端末は、レジデント基地局から送信されるＳＩＡまたはｃｅｌｌ  ＩＤまたはＲＴＡ  ＩＤが現在の自端末に係るＲＴＡ情報とは異なると検出すると、ＲＴＡＵプロセスを引き起こしてＲＴＡＵ要求をレジデント基地局に送信する必要がある。
ここで、レジデント基地局は、ＲＴＡＵ要求を受信すると、自基地局が端末のアンカー基地局ではないと判断すると、下記２種類の処理方式がある。
処理方式１：
ステップ１１４〜１１５において、レジデント基地局は、前記端末に係るＲＴＡ情報を更新し、すなわち、自レジデント基地局のＲＴＡ情報を前記端末に係るＲＴＡ情報に更新し、アンカー基地局に対し端末のコンテキスト取得（ＵＥ  ｃｏｎｔｅｘｔ  ｒｅｔｒｉｅｖｅ）プロセスを引き起こし、端末のコンテキストの取得をアンカー基地局に要求し、端末のコンテキストを取得すると、コアネットワークにＲＡＮアンカー基地局の更新プロセスを引き起こし、前記端末のアンカー基地局を自レジデント基地局に更新する。
処理方式２：
ステップ１１５ａにおいて、レジデント基地局は、前記端末に係るＲＴＡ情報を更新し、すなわち、自レジデント基地局のＲＴＡ情報を前記端末に係るＲＴＡ情報に更新し、アンカー基地局に対し端末のＲＴＡ更新プロセスを引き起こし、前記端末に係るＲＴＡ情報をアンカー基地局に送信する。よって、アンカー基地局は、端末コンテキストで前記端末のＲＴＡ情報を更新する。
上記処理方式１または２の処理を経て、ステップ１１６において、レジデント基地局は、ＲＴＡＵ確認（ＲＴＡＵ  ＡＣＫ）メッセージを端末に返信する。端末は、当該メッセージを受信すると、最新ＲＴＡ情報をローカルで更新し、すなわち、レジデント基地局が現在のアクセスセルで同期信号、参照信号または放送メッセージによって送信した当該基地局のＲＴＡ情報に更新する。
【０１０４】
応用シーン４：
ｉｎｔｅｒ−ｅＮＢ、ｉｎｔｅｒ−ＲＴＡシーンのＲＴＡＵプロセスであって、端末毎にＲＴＡを動的に配置する。
図１２に示すように、本シーンは、端末の基地局間移動によるＲＴＡＵプロセスである。当該シーンでは、レジデント基地局は、端末のアンカー基地局ではない。また、本シーンでは、ＲＴＡは、基地局から端末毎に動的に配置される。
ステップ１２１において、端末は、アンカー基地局にレジデントし、かつネットワーク側の制御で、インアクティブ接続状態（Ｉｎａｃｔｉｖｅ状態）に移行する。Ｉｎａｃｔｉｖｅ状態に移行するプロセスで、基地局は、端末の移動速度など、特定の属性情報に基づいて、専用シグナリングによって、当該端末に対して前記端末のＲＴＡ情報を配置し、具体的に、ＳＩＡ  ｌｉｓｔまたはｃｅｌｌ  ｌｉｓｔまたはＲＴＡ  ＩＤ  ｌｉｓｔである。端末は、当該配置情報を保存し、当該配置情報に基づいて、自端末に係るＲＴＡ情報をローカルで保守する。
ステップ１２２において、端末は、既にＩｎａｃｔｉｖｅ状態に移行している。端末は、後に基地局間移動が生じ、アンカー基地局からレジデント基地局に移動し、セル再選択プロセスによって前記レジデント基地局にレジデントする。レジデント基地局は、当該端末に対してＲＴＡ情報を配置する可能性がある。この際に、端末は、レジデント基地局が自端末に対して配置したＲＴＡ情報と現在の端末に係るＲＴＡ情報とが異なると検出すると、ＲＴＡＵプロセスを引き起こす必要がある。
ステップ１２３において、端末は、自端末のアンカー基地局などの情報を付帯させたＲＴＡＵ要求メッセージをレジデント基地局に送信する。
ここで、レジデント基地局は、ＲＴＡＵ要求を受信すると、自基地局が端末のアンカー基地局ではないと判断すると、下記２種類の処理方式がある。
処理方式１：
ステップ１２４〜１２５において、レジデント基地局は、当該端末の特定の属性に基づいて、端末に対して改めてＲＴＡ情報を配置し、配置したＲＴＡ情報に基づいて、前記端末に係るＲＴＡ情報を更新し、すなわち自レジデント基地局が配置したＲＴＡ情報を、前記端末に係るＲＴＡ情報に更新し、アンカー基地局に対し端末のコンテキスト取得（ＵＥ  ｃｏｎｔｅｘｔ  ｒｅｔｒｉｅｖｅ）プロセスを引き起こし、端末のコンテキストの取得をアンカー基地局に要求し、端末のコンテキストを取得すると、コアネットワークにＲＡＮアンカー基地局の更新プロセスを引き起こし、前記端末のアンカー基地局を自レジデント基地局に更新する。
処理方式２：
ステップ１２５ａにおいて、レジデント基地局は、当該端末の特定の属性に基づいて、端末に対して改めてＲＴＡ情報を配置し、配置したＲＴＡ情報に基づいて、前記端末に係るＲＴＡ情報を更新し、すなわち自レジデント基地局が配置したＲＴＡ情報を前記端末に係るＲＴＡ情報に更新し、端末のＲＴＡ更新プロセスをアンカー基地局に対し引き起こし、前記端末に係るＲＴＡ情報をアンカー基地局に送信する。よって、アンカー基地局は、端末のコンテキストで前記端末のＲＴＡ情報を更新する。
上記処理方式１または２の処理を経て、ステップ１２６において、レジデント基地局は、レジデント基地局から基地局に対して改めて配置したＲＴＡ情報が付帯されたＲＴＡＵ確認（ＲＴＡＵ  ＡＣＫ）メッセージを端末に返信する。端末は、当該メッセージを受信すると、最新ＲＴＡ情報をローカルで更新し、すなわち、自端末に係るＲＴＡ情報を、ＲＴＡＵ確認メッセージで付帯されて、レジデント基地局から端末に対して改めて配置したＲＴＡ情報に更新する。
【０１０５】
応用シーン５：
端末がＲＴＡＵプロセスを周期的に実行する。
上記応用シーン１〜４では、レジデント基地局は、端末がＩｎａｃｔｉｖｅ状態に移行するプロセスにおいて、または端末が始めてネットワークにアクセスするプロセスにおいて、端末に対しＲＴＡＵ周期的タイマーを配置してもよい。端末は、ＲＴＡＵ周期的タイマーのタイマー周期が到来すると、周期的にＲＴＡＵプロセスを引き起こす。端末がＲＴＡＵを引き起こすプロセスは、上記応用シーン１〜４とは類似であり、説明を簡単にするために、ここでは繰り返して記載しない。
【０１０６】
なお、上記シーンは、Ｉｎａｃｔｉｖｅ状態での端末を例として説明したが、同様にＲＲＣ  ｉｄｌｅ状態の端末にも適用する。
【０１０７】
以上の記載をまとめると、本開示の実施例の無線エリア管理方法および機器は、Ｉｎａｃｔｉｖｅ状態／ＲＲＣ  ｉｄｌｅ状態の端末に対し新規の位置管理エリアを定義し、当該エリア内の異なるノード間の移動フローを簡単化することによって、コアネットワークに対するシグナリング負荷を減少させ、ＲＡＮ側ページングエリアを減少させ、システム効率を高め、ユーザの体験性を改善する。
【０１０８】
以上記載されたのは、本開示の好ましい実施形態である。なお、当業者は、本開示に記載されている原理を逸脱せずに様々な改良や修飾をすることもできる。これらの改良や修飾も、本開示の保護範囲として見なされるべきである。
【図１】
2019522447.tif 000003
【図２】
2019522447.tif 000004
【図３】
2019522447.tif 000005
【図４】
2019522447.tif 000006
【図５】
2019522447.tif 000007
【図６】
2019522447.tif 000008
【図７】
2019522447.tif 000009
【図８】
2019522447.tif 000010
【図９】
2019522447.tif 000011
【図１０】
2019522447.tif 000012
【図１１】
2019522447.tif 000013
【図１２】
2019522447.tif 000014
【手続補正書】
【提出日】平成31年2月4日(2019.2.4)
【手続補正１】
【補正対象書類名】明細書
【補正対象項目名】０００１
【補正方法】変更
【補正の内容】
【０００１】
本開示は、無線通信技術分野に係り、具体的に無線システムエリア管理方法、端末および基地局に係る。
【手続補正２】
【補正対象書類名】特許請求の範囲
【補正対象項目名】全文
【補正方法】変更
【補正の内容】
【特許請求の範囲】
【請求項１】
レジデント基地局が、第１端末のアンカー基地局の情報が付帯されたＲＴＡ更新要求を前記第１端末から受信することと、
レジデント基地局が、前記ＲＴＡ更新要求に付帯された前記第１端末のアンカー基地局の情報に基づいて、自基地局が前記第１端末のアンカー基地局であるかを判断することと、
レジデント基地局が、自基地局が前記第１端末のアンカー基地局であると判断する場合、前記第１端末に係るＲＴＡ情報を更新し、前記第１端末にＲＴＡ更新確認メッセージを送信することとを含む無線システムエリア管理方法。
【請求項２】
レジデント基地局が、自基地局が前記第１端末のアンカー基地局ではないと判断する場合、
前記アンカー基地局から前記第１端末のコンテキスト情報を取得し、コアネットワークノードに対しＲＡＮアンカー基地局の更新プロセスを引き起こし、前記第１端末のアンカー基地局を自基地局に更新することと、
前記第１端末に係るＲＴＡ情報を更新し、前記第１端末にＲＴＡ更新確認メッセージを送信することとをさらに含み、あるいは、
レジデント基地局が、自基地局が前記第１端末のアンカー基地局ではないと判断する場合、
レジデント基地局が、自基地局が前記第１端末のアンカー基地局ではないと判断すると、前記第１端末に係るＲＴＡ情報を更新することと、
レジデント基地局が、前記第１端末に係るＲＴＡ情報を前記アンカー基地局に送信して、前記アンカー基地局によって保守される前記第１端末のコンテキスト情報を更新することと、
レジデント基地局は、前記第１端末にＲＴＡ更新確認メッセージを送信することとをさらに含む請求項１に記載の方法。
【請求項３】
前記第１端末のＲＴＡ情報を更新することは、
レジデント基地局が、前記第１端末のアクセスセルを特定し、前記アクセスセルに対応するＲＴＡに基づいて、前記第１端末に係るＲＴＡ情報を更新することを含み、あるいは、
前記第１端末のＲＴＡ情報を更新することは、
レジデント基地局が、前記第１端末の所定属性情報に基づいて、前記第１端末に対して対応するＲＴＡ情報を配置することと、
第１端末に対して配置したＲＴＡ情報に基づいて、前記第１端末に係るＲＴＡ情報を更新することを含み、
前記第１端末にＲＴＡ更新確認メッセージを送信することは、
第１端末に対して配置したＲＴＡ情報が付帯されたＲＴＡ更新確認メッセージを前記第１端末に送信することを含む請求項１または２に記載の方法。
【請求項４】
レジデント基地局が、自基地局のＲＴＡ情報が付帯された同期信号、参照信号または放送メッセージを送信することをさらに含む請求項１に記載の方法。
【請求項５】
前記第１端末にＲＴＡ更新確認メッセージを送信するステップの後に、
レジデント基地局が、前記第１端末に対するページングを引き起こす必要がある場合、前記第１端末に係るＲＴＡ情報に対応するＲＴＡ内でページングを引き起こすことをさらに含む請求項１または２に記載の方法。
【請求項６】
レジデント基地局が、第２端末のアンカー基地局である場合、第２端末がＲＲＣアイドル状態またはインアクティブ接続状態に移行したと発見すれば、第２端末の所定属性情報に基づいて、前記第２端末に対して対応するＲＴＡ情報を配置して前記第２端末に送信し、第２端末に対して配置したＲＴＡ情報に基づいて、前記第２端末に係るＲＴＡ情報を更新することと、
レジデント基地局が、第２端末がＲＲＣアイドル状態またはインアクティブ接続状態に移行したと発見すれば、ＲＴＡ更新プロセスを周期的に引き起こすためのＲＴＡ更新周期を、前記第２端末に対し特定するとともに、前記第２端末に対して配置することをさらに含む請求項１に記載の方法。
【請求項７】
ＲＲＣアイドル状態またはインアクティブ接続状態の端末が、前記端末のアンカー基地局の情報が付帯されたＲＴＡ更新要求をレジデント基地局に送信することと、
前記端末が、前記レジデント基地局から返信されたＲＴＡ更新確認メッセージを受信し、自端末に係るＲＴＡ情報を更新することとを含む無線システムエリア管理方法。
【請求項８】
前記端末のアンカー基地局の情報が付帯されたＲＴＡ更新要求をレジデント基地局に送信することは、
端末が、所定のＲＴＡ更新周期が到来し、またはＲＴＡの更新が必要であると特定すると、前記端末のアンカー基地局の情報が付帯されたＲＴＡ更新要求をレジデント基地局に送信することを含む請求項７に記載の方法。
【請求項９】
前記ＲＴＡの更新が必要であると特定することは、
前記端末が、レジデント基地局から受信した同期信号、参照信号または放送メッセージに基づいて、付帯されている前記基地局のＲＴＡ情報を解析して取得し、前記基地局のＲＴＡ情報が現在の自端末に係るＲＴＡ情報にマッチするかを判断し、マッチしなければ、ＲＴＡの更新が必要であると特定すること、
または、レジデント基地局から端末に対して配置したＲＴＡ情報を受信し、前記端末に対して配置したＲＴＡ情報が現在の自端末に係るＲＴＡ情報にマッチするかを判断し、マッチしなければ、ＲＴＡの更新が必要であると特定することを含む請求項８に記載の方法。
【請求項１０】
前記自端末に係るＲＴＡ情報を更新することは、
端末が、レジデント基地局から受信した同期信号、参照信号または放送メッセージに基づいて、付帯されている前記基地局のＲＴＡ情報を解析して取得し、前記基地局のＲＴＡ情報に基づいて、自端末に係るＲＴＡ情報を更新することを含み、
前記レジデント基地局に前記ＲＴＡ更新要求を送信する前に、
前記端末が、ＲＲＣアイドル状態またはインアクティブ接続状態に移行する場合、前記端末のレジデント基地局から送信される同期信号、参照信号または放送メッセージを受信し、付帯されている前記基地局のＲＴＡ情報を解析して取得し、自端末に係るＲＴＡ情報として保存することをさらに含む請求項７に記載の方法。
【請求項１１】
前記自端末に係るＲＴＡ情報を更新することは、
前記端末が、前記ＲＴＡ更新確認メッセージを解析し、付帯されているレジデント基地局から前記端末に対して配置したＲＴＡ情報を取得することと、
前記端末が、前記レジデント基地局から配置したＲＴＡ情報に基づいて、自端末に係るＲＴＡ情報を更新することを含む請求項７に記載の方法。
【請求項１２】
前記端末が、前記ＲＴＡ更新確認メッセージを解析し、付帯されている前記端末の新規のアンカー基地局の指示情報を取得することと、
前記端末が、前記新規のアンカー基地局の指示情報に基づいて、自身で保守するアンカー基地局情報を更新することとをさらに含み、
前記レジデント基地局に前記ＲＴＡ更新要求を送信する前に、
前記端末が、ＲＲＣアイドル状態またはインアクティブ接続状態に移行する場合、レジデント基地局から前記端末に対して配置したＲＴＡ情報を受信し、レジデント基地局から配置したＲＴＡ情報に基づいて、自端末に係るＲＴＡ情報を取得して保存することをさらに含む請求項１１に記載の方法。
【請求項１３】
ＲＴＡは、１つまたは複数のＳＩＡ、または、１つまたは複数のセル、または、１つまたは複数のＲＴＡ  ＩＤに対応するＳＩＡ／セルを含み、
１つのＲＴＡに含まれるＳＩＡ／セル／ＲＴＡ  ＩＤは、同一の基地局または異なる基地局に係り、
前記ＲＴＡ情報は、前記ＲＴＡに含まれるＳＩＡ／セル／ＲＴＡ  ＩＤのセットまたはサブセットである請求項７に記載の方法。
【請求項１４】
第１端末のアンカー基地局の情報が付帯されたＲＴＡ更新要求を前記第１端末から受信することに用いられる要求受信ユニットと、
前記ＲＴＡ更新要求に付帯された前記第１端末のアンカー基地局の情報に基づいて、自基地局が前記第１端末のアンカー基地局であるかを判断し、自基地局が前記第１端末のアンカー基地局である場合、更新ユニットをトリガーすることに用いられる判断ユニットと、
判断ユニットのトリガーによって、前記第１端末に係るＲＴＡ情報を更新し、前記第１端末にＲＴＡ更新確認メッセージを送信することに用いられる更新ユニットとを含むレジデント基地局。
【請求項１５】
自端末がＲＲＣアイドル状態またはインアクティブ接続状態にあると、前記端末のアンカー基地局の情報が付帯されたＲＴＡ更新要求をレジデント基地局に送信することに用いられる要求ユニットと、
前記レジデント基地局から返信されたＲＴＡ更新確認メッセージを受信し、自端末に係るＲＴＡ情報を更新することに用いられる保守更新ユニットとを含む端末。
【国際調査報告】
2019522447.tif 000015
2019522447.tif 000016
2019522447.tif 000017
2019522447.tif 000018